(57)【要約】【課題】建築用パネルによる端部を覆う、見切部材と、その見切部材に直角に交差する、他の見切部材の、Ｌ字形の交差部分において、その交差する２つの見切部材による角度が小さい側に、建築用パネルを施工する、見切部材の交差部分を覆う隅角被覆の壁部材。【解決手段】隅角被覆を、金属板を成形して、ほぼ平坦な、Ｌ字形の隅角面を形成し、その隅角面のＬ字形の、角度が９０度の側の内側端を、半円形に裏面側に折り曲げて、引掛片を形成し、その隅角面のＬ字形の、角度が２７０度の側の外側端に、押止片を形成し、前記の見切部材が、建築用パネルによる端部を覆う、見切辺と、施工時に、その見切辺の建築用パネルの外側に位置する側に、係止突起と係止溝とを形成し、隅角被覆の引掛片が見切辺の先端に引っ掛かり、隅角被覆の押止片が見切部材の係止突起を乗り越えて、係止溝に入り込む隅角被覆の壁部材とする。【選択図】図１
2008095480.tif 000002
【特許請求の範囲】
【請求項１】
建築用パネルによる端部を覆う、見切部材と、その見切部材に直角に交差する、他の見切部材の、Ｌ字形の交差部分において、その交差する２つの見切部材による角度が小さい側に、建築用パネルを施工する、見切部材の交差部分を覆う隅角被覆に関して、隅角被覆は、金属板を成形して、ほぼ平坦な、Ｌ字形の隅角面を形成し、その隅角面のＬ字形の、角度が９０度の側の内側端を、半円形に裏面側に折り曲げて、引掛片を形成し、その隅角面のＬ字形の、角度が２７０度の側の外側端に、押止片を形成し、前記の見切部材が、建築用パネルによる端部を覆う、見切辺と、施工時に、その見切辺の建築用パネルの外側に位置する側に、係止突起と係止溝とを形成し、隅角被覆の引掛片が見切辺の先端に引っ掛かり、隅角被覆の押止片が見切部材の係止突起を乗り越えて、係止溝に入り込む事を特徴とする隅角被覆の壁部材。
【発明の詳細な説明】
【技術分野】
【０００１】  この発明は、建築用パネルによる端部を覆う、見切部材と、その見切部材に直角に交差する、他の見切部材の、Ｌ字形の交差部分において、その交差する２つの見切部材による角度が小さい側に、建築用パネルを施工する、見切部材の交差部分を覆う隅角被覆の壁部材に関する。
【背景技術】
【０００２】  建築用パネルによる端部を覆う、見切部材と、その見切部材に直角に交差する、他の見切部材の、Ｌ字形の交差部分において、その交差する２つの見切部材による角度が大きい側に、建築用パネルを施工する、見切部材の交差部分を覆う隅角被覆の壁部材は、窓回り用コーナーカバーとして従来例がある。
（例えば、特許文献１参照）。
【特許文献１】  実開昭６２−１６６９４８号公報
【発明の開示】
【発明が解決しようとする課題】
【０００３】  従来、窓回り用コーナーカバーに示される技術は、
水平化粧面をほぼＬ字状とし、該水平化粧面内側の２辺それぞれには水平化粧面と垂直をなす側壁を形成し、かつ、該側壁の途中に係止用屈曲部を設け、また前記水平化粧面の外側の１辺には内方に突出した係止片を形成した、
構成であり、
水平化粧面内側の２辺それぞれには水平化粧面と垂直をなす側壁を形成し、その側壁が乾式壁材に当たり、水平化粧面内側の２辺側に乾式壁材を施工することは不可能だった。
【課題を解決するための手段】
【０００４】  この発明は、隅角被覆を、金属板を成形して、ほぼ平坦な、Ｌ字形の隅角面を形成し、その隅角面のＬ字形の、角度が９０度の側の内側端を、半円形に裏面側に折り曲げて、引掛片を形成し、その隅角面のＬ字形の、角度が２７０度の側の外側端に、押止片を形成し、前記の見切部材が、建築用パネルによる端部を覆う、見切辺と、施工時に、その見切辺の建築用パネルの外側に位置する側に、係止突起と係止溝とを形成し、隅角被覆の引掛片が見切辺の先端に引っ掛かり、隅角被覆の押止片が見切部材の係止突起を乗り越えて、係止溝に入り込む隅角被覆の壁部材としている。
【発明の効果】
【０００５】  この発明による壁部材には、次のような効果がある。【０００６】Ａ．金属板を成形して、ほぼ平坦な、Ｌ字形の隅角面を形成し、その隅角面のＬ字形の、角度が９０度の側の内側端を、半円形に裏面側に折り曲げて、引掛片を形成し、その隅角面のＬ字形の、角度が２７０度の側の外側端に、押止片を形成し、前記の見切部材が、建築用パネルによる端部を覆う、見切辺と、施工時に、その見切辺の建築用パネルの外側に位置する側に、係止突起と係止溝とを形成し、隅角被覆の引掛片が見切辺の先端に引っ掛かり、隅角被覆の押止片が見切部材の係止突起を乗り越えて、係止溝に入り込む事を特徴とする隅角被覆の壁部材とすることにより、
ａ．建築用パネルによる端部を覆う、見切部材と、その見切部材に直角に交差する、他の見切部材の、Ｌ字形の交差部分において、その交差する２つの見切部材による角度が小さい側に、建築用パネルを施工する、見切部材の交差部分を覆う隅角被覆を、その隅角被覆を押し込んで、その反力により押止片が広げられて、押止片が係止溝に入り込み、その拡張された押止片の内部応力と、引っ掛かり等により、隅角被覆が見切材との交差部分に張り付けられて、
イ．色、エンボス柄、塗装模様等の表面意匠の異なる建築用パネルを、それぞれの周囲の端部を、それぞれの表面意匠に合った、見切部材により覆い、それらの見切部材の交差部分を覆う隅角被覆を、それぞれの表面意匠に合った物とすることが可能となり、
ロ．その隅角被覆が見切材との交差部分に、リベットなどの締結具を壁面に表すことなく、張り付けられて、
ハ．壁面の意匠性が向上し、
ニ．リベット等の締結具の施工手間が省け、施工性が向上する。【０００７】Ｂ．見切部材と他の見切材、見切部材と水切、あるいは、見切部材と水切機能を持つ係止板、との間を連携する機能を持つ、係止板を介することにより、
ａ．見切部材と他の見切材、見切部材と水切、あるいは見切部材と水切機能を持つ係止板、との間隔を一定とすることが可能となり、
イ．見切部材の見切辺と他の見切部材の見切辺との先端間の隙間と、見切部材の見切辺と水切の水切面の先端間の隙間と、見切部材の見切辺と係止板の水切板の先端間の隙間とを、それぞれ一定で最小限とすることが可能となり、
ロ．隅角被覆の押止片を押し込む隙間を確保出来て、施工性が向上し、
ハ．それらの隙間が一定で最小限となり、壁面の意匠性が向上する。【０００８】Ｃ．見切部材の見切辺と水切の水切面あるいは、見切部材の見切辺と係止板の水切板とを合わせることにより、
ａ．見切部材の見切辺と水切の水切面との交差部分と、見切部材の見切辺と係止板の水切板との交差部分とに、隅角被覆が張り付けられて、
イ．壁面の意匠性が向上する。【０００９】Ｄ．出隅筒を形成する係止板を使用することにより、
ａ．出隅構造の境界に出隅筒を構成した外壁７として、
イ．出隅構造の境界を両外壁の延長面に、出隅筒を構成し、
ロ．出隅構造を不自然に凹んだ部分を無くして、自然なものとし、
ハ．意匠性が向上し、
ニ．出隅筒の断面形状を変えることにより、意匠のバラエティーが増加し、意匠性が向上し、
ホ．出隅筒により、壁面の雨仕舞、耐候性、断熱性等の、遮断性が向上する。【００１０】Ｅ．見切部材を異なる厚さの建築用パネルに、合わせた見切部材とする事により、
ａ．異なる厚さの建築用パネルに隅角被覆を使用可能となり、
ｂ．見切部材を釘打材と見切材とに分けて、組み合わせて使用する、壁部材とし、その見切材を変えて、異なる厚さの建築用パネルに、合わせた見切部材とする事により、
イ．同一の係止板に、異なる見切材を使用して、異なる厚さの建築用パネルを張り分けが可能になり、
ロ．部材の種類が少なくなり、コストが下がる。【００１１】Ｆ．水抜孔付きの見切部材を使用することにより、
ａ．壁面の下部に、見切部材を上方に建築用パネルを施工しても、その見切部材内に侵入した雨水を、水抜孔から排出し、水切あるいは水切機能付きの係止板により、外壁外に流出させる、構成で施工可能となり、
イ．建築用パネルの周囲の端部を、見切部材の見切辺や、水切の水切面、あるいは、係止板の水切板とにより覆い、その交差部分を、隅角被覆により覆うことが可能となり、
ロ．施工範囲が拡張され、
ハ．意匠性が向上する。【００１２】Ｇ．係止板に下方の側端を塞ぐ、側板を形成することにより、
ａ．係止板や水切の側端から回り込む、雨水を遮断可能になり、
イ．雨仕舞性能が向上する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される建築用パネルや部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ブラインドリベットは、
イ．ブラインドリベットに代表されるリベット
ロ．セルフドリリングタッピングビス等の短寸ネジ
ハ．ホッチキス等を使用し、
ｃ．防水紙の張り付けには、
イ．ガンタッカー
ロ．両面接着テープ
ハ．接着剤
ニ．釘
ホ．ホッチキス等が使用する。【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の合成樹脂には、
イ．ポリ塩化ビニル板
ロ．ポリカーボネイト板
ハ．アクリル板等の合成樹脂板が使用され、
ｃ．この発明の防水紙には、
イ．次に代表される透湿防水紙
○ポリエチレン多孔質フィルム
○ポリエチレン不織布等
ロ．ゴムアスファルトルーフィング
ハ．アスファルトルーフィング
ニ．アスファルトフェルト
ホ．シート防水材等が使用される。
ｄ．この発明の無機質板は、
イ．木繊維補強セメント板
○硬質木片セメント板
○木繊維混入セメント・けい酸カルシウム板
ロ．繊維補強セメント板
ハ．繊維補強セメント・けい酸カルシウム板
○繊維混入セメント・石灰・けい酸カルシウム板
○繊維混入セメント・けい酸カルシウム板
ニ．軽量気泡コンクリート等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図４に示す、実施例１においての建築用パネル１は、
ａ．金属板８による長尺の表面材１ａを成形して、次のような前面１ｂを形成し、
イ．その前面１ｂは、
○細長い平坦な面の両側を、裏面側にくの字形に折り曲げた突起と、
○その突起に続く、細長い平坦な面の両側を、表面側にくの字形に折り曲げた窪みとを形成し、
ロ．それらの、突起と窪みとの繰り返しにより、両側に突起を形成した、前面１ｂとし、
ｂ．その前面１ｂの一側端に、次のような、差込溝１ｃと、差込片１ｄとを形成し、
イ．前面１ｂの一側端をくの字形に裏面側に折り曲げて、さらに裏面側に鋭角に折り曲げて、表面側にクランク状に折り曲げ、さらに、表面側にＵ字形に折り曲げて、差込溝１ｃを形成し、
ロ．その差込溝１ｃの先端を裏面側に折り返して、差込片１ｄを形成し、
ｃ．前面１ｂの他側端に、次のような、嵌合片１ｅと、嵌合溝１ｇと、釘打片１ｈとを形成し、
イ．前記の前面１ｂを鈍角のクランク状に裏面側に折り曲げて、さらに表面側にくの字形に折り曲げて、そして、裏面側に折り返して、嵌合片１ｅを形成し、
ロ．その嵌合片１ｅを表面側にＵ字形に折り曲げて、嵌合溝１ｇを形成し、
ハ．その嵌合溝１ｇを延長して、先端を表面側に折り返した、釘打片１ｈを形成し、
ｄ．また、成形した表面材１ａの裏面側に、裏面材１ｌにより覆った、発泡樹脂９ａによる、次のような裏打材１ｋを形成し、
イ．その裏面材１ｌは、差込溝１ｃと前面１ｂとの隙間から、釘打片１ｈに亘る間を覆い、
ロ．その嵌合片１ｅの、近傍において、クランク状に厚さを増加して、釘打片１ｈへ続く、平坦な裏打材１ｋを形成し、
ｅ．それらの表面材１ａと裏打材１ｋとを切断して、長手方向の両端に切断端１ｍを形成している。【００１９】Ｂ．図５に示す、実施例１においての、意匠の異なる建築用パネル１は、
ａ．金属板８による長尺の表面材１ａを成形して、ほぼ平坦な前面１ｂを形成し、
ｂ．その前面１ｂの一側端に、次のような、差込溝１ｃと、差込片１ｄとを形成し、
イ．前面１ｂの一側端を裏面側に折り返して、さらに表面側にクランク状に折り曲げ、さらに、表面側にＵ字形に折り曲げて、差込溝１ｃを形成し、
ロ．その差込溝１ｃの先端を裏面側に折り返して、差込片１ｄを形成し、
ｃ．前面１ｂの他側端に、次のような、嵌合片１ｅと、嵌合溝１ｇと、釘打片１ｈとを形成し、
イ．前記の前面１ｂをくの字形に裏面側に折り曲げて、さらにクランク状に裏面側に折り曲げて、そして、裏面側に折り返して、嵌合片１ｅを形成し、
ロ．その嵌合片１ｅを表面側にＵ字形に折り曲げて、嵌合溝１ｇを形成し、
ハ．その嵌合溝１ｇを延長して、裏面側に開口する断面半円形の突条を持ち、先端を表面側に折り返した、釘打片１ｈを形成し、
ｄ．また、成形した表面材１ａの裏面側に、裏面材１ｌにより覆った、発泡樹脂９ａによる次のような裏打材１ｋを形成じ、
イ．その裏面材１ｌは、差込溝１ｃと前面１ｂとの隙間から、釘打片１ｈに亘る間を覆い、
ロ．その嵌合片１ｅの、近傍において、クランク状に厚さを増加して、釘打片１ｈへ続く、平坦な裏打材１ｋを形成し、
ｅ．それらの表面材１ａと裏打材１ｋとを切断して、長手方向の両端に切断端１ｍを形成し、
イ．その切断端１ｍの厚さは、前記の突起と窪みとの繰り返しによる前面１ｂの、建築用パネル１の突起部分の切断端１ｍの厚さと、ほぼ同じである。【００２０】Ｃ．図６に示す、実施例１の隅角被覆２は、金属板８を成形して、
ａ．ほぼ平坦な、２等辺直角三角形の斜辺を直角に切り取った、Ｌ字形の隅角面２ａを形成し、
ｂ．その隅角面２ａのＬ字形の、角度が９０度の側の内側端を、半円形に裏面側に折り曲げて、引掛片２ｂを形成し、
ｃ．その隅角面２ａのＬ字形の、角度が２７０度の側の外側端には、裏面側に４分割円形に折り曲げて、さらに、ほぼ矩形を呈し、裏面側にクランク状に折り曲げられた、複数の押止片２ｃを形成する。【００２１】Ｄ．図７に示す、実施例１の係止板３と、見切部材４の釘打材４ａと見切材４ｇとは、金属板８を成形して、
ａ．その係止板３は、長尺の金属板８を成形して、
イ．ほぼ平坦で、その両側を表面側に折り返した、固定板３ａを形成し、
ロ．その固定板３ａの中央部を、相対して表面側にくの字形に折り曲げて、さらに、裏面側に鋭角に折り曲げて、そして、表面側にＬ字形に折り曲げた、案内突条３ｂを形成し、
ｂ．その見切部材４の釘打材４ａは、長尺の金属板８を成形して、
イ．裏面側に開口する断面三角形の突条を持ち、先端を表面側に折り返した、ほぼ平坦な釘打辺４ｂを形成し、
ロ．その釘打辺４ｂの他側端側に、次のような嵌合辺４ｃを形成し、
○表面側に開口するＶ字形に折り曲げた、両端を、表面側にくの字形に折り曲げて、嵌合底４ｄを形成し、
○その嵌合底４ｄの両端を、直角に折り曲げて、そして、裏面側に鋭角的に折り曲げ、次いで、裏面側に鋭角的に折り曲げて、相対する鋸歯突起４ｆを形成し、
○その内側に相対する鋸歯突起４ｆと、開口部が狭まった嵌合底４ｄを持つ、相対する嵌合辺４ｃを構成し、
○その嵌合辺４ｃの一端は裏面側にＬ字形に曲がり、もう一端は表面側にＬ字形に折れ曲がって、前記の釘打辺４ｂに連なり、
ハ．その嵌合底４ｄと、釘打辺４ｂとにの間に、係止口４ｅを形成し、
○その係止口４ｅは、前記の係止板３の、案内突条３ｂが嵌入可能に形成され、
ｃ．その見切部材４の見切材４ｇは、長尺の金属板８を成形して、
イ．平坦な一端を裏面側に折り返した見切辺４ｈを形成し、
ロ．その見切辺４ｈの他端を、裏面側にクランク状に折り曲げて、係止突起４ｊを形成し、
ハ．その係止突起４ｊを、表面側にクランク状に折り曲げて、係止溝４ｋを形成し、
ニ．さらに、延長して、その先端を裏面側に折り返した、見切底４ｉを形成し、
ホ．その見切辺４ｈを裏面側に折り返して、前記の係止溝４ｋ側で、表面側にＬ字形に折り曲げ、さらに、裏面側に折り返した、次のような切起突起４ｎを複数持つ差込辺４ｍを形成し、
○その切起突起４ｎは金属板８を、
○船底を差込辺４ｍの折り返し側に向けて、ほぼ半裁の船形に差込辺４ｍの両側に交互に突起させ、
○船縁側が切断され、金属板８のほぼ２枚分程度の段差を形成し、
ｄ．その見切部材４の見切材４ｇは、前記の釘打材４ａと、次のように組み合わせて見切部材４を構成し、
イ．釘打材４ａの相対する嵌合辺４ｃの間に、見切材４ｇの差込辺４ｍを差し込み、
ロ．釘打材４ａの鋸歯突起４ｆにより、見切材４ｇの差込辺４ｍを挟み込むことと、
ハ．釘打材４ａの鋸歯突起４ｆへの、見切材４ｇの切起突起４ｎの引っ掛かりとにより、固定され、
二．釘打材４ａの釘打辺４ｂと、それに続く嵌合辺４ｃと、見切材４ｇの見切辺４ｈとにより、見切溝４ｏを構成する。【００２２】Ｅ．図１，図２，及び図３に示す、実施例１の軒天６との境界においての、外壁７の施工は、
ａ．柱７ｂによる壁下地７ａに防水紙７ｄを張り、
ｂ．意匠が異なる２種類の建築用パネル１の、外壁７上の境界においての柱７ｂの外側の面の、防水紙７ｄの上に、
イ．係止板３の固定板３ａを、防水紙７ｄを介して柱７ｂに、釘打ち固定し、
ｃ．その外壁７の軒天６との境において、
イ．その柱７ｂと、外壁７の他の柱７ｂとに架けて、その係止板３のほぼ中央から左右方向に、
ロ．それぞれの、見切部材４の釘打材４ａを、その嵌合辺４ｃを軒天６に沿わして、防水紙７ｄを介して柱７ｂに釘打ち固定し、
ｄ．前記の柱７ｂに取り付けた、係止板３の片方の案内突条３ｂに、
イ．釘打材４ａの係止口４ｅを被せて、その嵌合辺４ｃを柱７ｂの中央側に向けて、その釘打辺４ｂを釘打ち固定し、
ｅ．平坦な前面１ｂの建築用パネル１を、複数、次のように施工し、
イ．前記の係止板３の上に施工された釘打材４ａの釘打辺４ｂに、建築用パネル１の切断端１ｍを乗せて、その釘打片１ｈを釘打ち固定し、
ロ．その固定された建築用パネル１の嵌合溝１ｇに、他の建築用パネル１の差込片１ｄを差し込み、その釘打片１ｈを釘打ち固定し、
ハ．上記を繰り返して、片側の外壁７を、複数の建築用パネル１により覆い、
ニ．残った外壁７の高さに合わせて、建築用パネル１の前面１ｂを長さ方向に切断して、その前面１ｂを釘打ち固定し、
ｆ．それらの施工された建築用パネル１の周囲に、次のように、見切材４ｇを施工し、
イ．施工された建築用パネル１の周囲の、釘打材４ａの嵌合辺４ｃの隙間に、
ロ．見切材４ｇの差込辺４ｍを差し込み固定し、
ｇ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押止片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力により、隅角被覆２が見切材４ｇとの交差部分に張り付けられて、
ｈ．前記の柱７ｂに取り付けた係止板３の、他方の案内突条３ｂに、
イ．他の釘打材４ａの係止口４ｅを被せて、その嵌合辺４ｃを柱７ｂの中央側に向けて、防水紙７ｄを介して柱７ｂに、その釘打辺４ｂを釘打ち固定し、
ｉ．突起と窪みとの繰り返しによる前面１ｂの建築用パネル１を、複数、次のように施工し、
イ．前記の係止板３の上に施工された釘打材４ａの釘打辺４ｂに、建築用パネル１の切断端１ｍを乗せて、その釘打片１ｈを釘打ち固定し、
ロ．その固定された建築用パネル１の嵌合溝１ｇに、他の建築用パネル１の差込片１ｄを差し込み、その釘打片１ｈを釘打ち固定し、
ハ．上記を繰り返して、係止板３の片側の外壁７を、複数の建築用パネル１により覆い、
ニ．残った外壁７の高さに合わせて、建築用パネル１の前面１ｂを長さ方向に切断して、その前面１ｂを釘打ち固定し、
ｊ．その施工された建築用パネル１の周囲に、次のように見切材４ｇを施工し、
イ．施工された建築用パネル１の周囲の、釘打材４ａの嵌合辺４ｃの隙間に、
ロ．見切材４ｇの差込辺４ｍを差し込み固定し、
ｋ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押止片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力と、外れる方向での押止片２ｃの係止突起４ｊへの引っ掛かり等により、隅角被覆２が見切材４ｇとの交差部分に張り付けられて、
ｌ．意匠が異なる２種類の建築用パネル１の境界と、軒天６との境界とを、見切部材４で覆い、その見切部材４の交差部分を覆う隅角被覆２を取り付ける外壁７を構成する。
【実施例２】
【００２３】  図４，図６，図８，図９，図１０，図１１，及び図１２は、この発明の実施例２を示すものである。【００２４】Ａ．図４に示す、実施例２においての、突起と窪みとの繰り返しによる前面１ｂを持つ建築用パネル１は、実施例１と同じものである。【００２５】Ｂ．図１１に示す、実施例２においての、意匠の異なる建築用パネル１は、
ａ．無機質板１０による長尺の基材１ｎを成形して、ほぼ平坦な前面１ｂを形成し、
ｂ．その前面１ｂの一側端に、次のような、端覆辺１ｆを形成し、
イ．その端覆辺１ｆは前面１ｂの一側端を面取りして、さらに裏面側に矩形に、決りを入れて、端覆辺１ｆを形成し、
ｃ．前面１ｂの他側端に、次のような、被覆辺１ｉと、封隙材１ｊとを形成し、
イ．その被覆辺１ｉは、前面１ｂを表面側から浅く決りを入れて、その決りの下部を面取りし、さらにその側端に表面側から、矩形に決りを入れて被覆辺１ｉとし、
ロ．その被覆辺１ｉの裏面側に近い面に、ひも状の軟質樹脂９ｂによる封隙材１ｊを接着し、
ｄ．その基材１ｎを切断して、長手方向の両端に切断端１ｍを形成し、
イ．その切断端１ｍの厚さは、前記の突起と窪みとの繰り返しによる前面１ｂの、建築用パネル１の切断端１ｍの突起部分の厚さの、ほぼ３分の２程度としている。【００２６】Ｃ．図６に示す、実施例２の隅角被覆２は、実施例１と同じものである。【００２７】Ｄ．図１２に示す、実施例２の係止板３と、見切部材４の釘打材４ａと見切材４ｇとは、
ａ．その係止板３は、合成樹脂９を長尺に成形して、
イ．ほぼ平坦で、その両側に表面側に突起する断面三角形の突起を側端と途中に持つ、ほぼ平坦な固定板３ａを形成し、
ロ．その固定板３ａの中央部に、断面音叉形の案内突条３ｂを、相対して２条形成し、
ハ．その案内突条３ｂは、その先端に次のような複数の嵌合鋸歯３ｄを持つ、断面Ｕ字形の嵌合口３ｃを形成し、
ニ．その嵌合鋸歯３ｄは嵌合口３ｃの片辺から隆起する、断面が短辺と長辺からなる山形で、その短辺が嵌合口３ｃの片辺に直交し、長辺が先端部側に位置し、
ｂ．その見切部材４の釘打材４ａは、合成樹脂９を成形して、
イ．表面側に突起する断面三角形の突起を一側端と途中に持つ、ほぼ平坦な釘打辺４ｂを形成し、
ロ．その釘打辺４ｂの他側端側に、断面音叉形の嵌合辺４ｃを形成し、
ハ．その嵌合辺４ｃは、その先端に次のような複数の鋸歯突起４ｆを持つ、嵌合底４ｄを形成し、
ニ．その鋸歯突起４ｆは嵌合辺４ｃから隆起する、断面が短辺と長辺からなる山形で、その短辺が嵌合辺４ｃに直交し、長辺が先端部側に位置し、
ｃ．突起と窪みとの繰り返しによる前面１ｂ用の、見切部材４の見切材４ｇは、長尺の金属板８を成形して、
イ．平坦な一端を裏面側に折り返した見切辺４ｈを形成し、
ロ．その見切辺４ｈの他端を、裏面側にクランク状に折り曲げて、係止突起４ｊを形成し、
ハ．その係止突起４ｊを、表面側にクランク状に折り曲げて、係止溝４ｋを形成し、
ニ．さらに、延長して、その先端を裏面側に折り返した、見切底４ｉを形成し、
ホ．その見切辺４ｈを裏面側に折り返して、前記の係止溝４ｋ側で、表面側にＬ字形に折り曲げ、さらに、裏面側に折り返した、次のような切起突起４ｎを複数持つ差込辺４ｍを形成し、
○その切起突起４ｎは金属板８を、
○船底を差込辺４ｍの折り返し側に向けて、ほぼ半裁の船形に差込辺４ｍの両側に交互に突起させ、
○船縁側が切断され、金属板８のほぼ２枚分程度の段差を形成し、
ｄ．無機質板１０による建築用パネル１用の、見切部材４の見切材４ｇは、その見切底４ｉと差込辺４ｍの幅を、建築用パネル１の切断端１ｍの厚さに応じて減じ、
ｅ．それらの見切部材４の見切材４ｇは、前記の釘打材４ａや係止板３と、次のように組み合わせて見切溝４ｏを構成し、
イ．釘打材４ａの相対する嵌合辺４ｃの間や、係止板３の嵌合口３ｃに、見切材４ｇの差込辺４ｍを差し込み、
ロ．釘打材４ａの鋸歯突起４ｆや、係止板３の嵌合鋸歯３ｄにより、見切材４ｇの差込辺４ｍを挟み込むことと、
ハ．釘打材４ａの鋸歯突起４ｆや、係止板３の嵌合鋸歯３ｄへの、見切材４ｇの切起突起４ｎの引っ掛かりとにより、固定され、
二．釘打材４ａの釘打辺４ｂと、それに続く嵌合辺４ｃと、又は、係止板３の固定板３ａと、それに続く案内突条３ｂと、見切材４ｇの見切辺４ｈとにより、見切溝４ｏを構成する。【００２８】Ｅ．図８，図９，及び図１０に示す、実施例２の軒天６との境界においての、外壁７の施工は、
ａ．柱７ｂによる壁下地７ａに防水紙７ｄを張り、
イ．胴縁７ｅを軒天６に沿わして、防水紙７ｄを介して柱７ｂに、釘打ち固定し、
ｂ．意匠が異なる２種類の建築用パネル１の、外壁７上の境界においての柱７ｂの外側の面の、防水紙７ｄの上に、
イ．突起と窪みとの繰り返しによる前面１ｂを持つ建築用パネル１側に、次のように胴縁７ｅを、防水紙７ｄを介して柱７ｂに、複数釘打ち固定し、
○軒天６に平行で、建築用パネル１の施工基準により、
ロ．無機質板１０による建築用パネル１側には、次のように胴縁７ｅを、防水紙７ｄを介して柱７ｂに、複数釘打ち固定し、
○柱７ｂに沿わして、建築用パネル１の施工基準により、
ハ．次に、係止板３の固定板３ａを、上記の２種類の施工方法の境界に、施工された胴縁７ｅに、釘打ち固定し、
ｃ．その外壁７の軒天６との境において、
イ．その軒天６に沿わした胴縁７ｅに、その係止板３のほぼ中央から左右方向に、
ロ．それぞれの、見切部材４の釘打材４ａを、その嵌合辺４ｃを軒天６に沿わして、胴縁７ｅに釘打ち固定し、
ｄ．前記の２種類の施工方法の境界に、施工された胴縁７ｅに取り付けた係止板３の、突起と窪みとの繰り返しによる、前面１ｂを持つ建築用パネル１側に、
ｅ．突起と窪みとの繰り返しによる前面１ｂを持つ建築用パネル１を、複数、次のように施工し、
イ．前記の軒天６に沿わして施工した釘打材４ａの釘打辺４ｂに、建築用パネル１の切断端１ｍを乗せて、その釘打片１ｈを釘打ち固定し、
ロ．その固定された建築用パネル１の嵌合溝１ｇに、他の建築用パネル１の差込片１ｄを差し込み、その釘打片１ｈを釘打ち固定し、
ハ．上記を繰り返して、片側の外壁７を、複数の建築用パネル１により覆い、
ニ．残った外壁７の係止板３の案内突条３ｂまでの幅に合わせて、建築用パネル１の前面１ｂを長さ方向に切断して、その前面１ｂを釘打ち固定し、
ｆ．その施工された建築用パネル１の周囲に、次のように、突起と窪みとの繰り返しによる、前面１ｂを持つ建築用パネル１の厚さに合わせた、見切材４ｇを施工し、
イ．軒天６との境に施工された建築用パネル１の、釘打材４ａの嵌合辺４ｃの隙間に、
ロ．見切材４ｇの差込辺４ｍを差し込み固定し、
ハ．突起と窪みとの繰り返しによる、前面１ｂを持つ建築用パネル１側の、係止板３の嵌合口３ｂに、
ニ．見切材４ｇの差込辺４ｍを差し込み固定し、
ｇ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押止片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力により、隅角被覆２が見切材４ｇとの交差部分に張り付けられて、
ｈ．前記の柱７ｂに取り付けた係止板３の、前記の施工された建築用パネル１の、反対側の案内突条３ｂに、
ｉ．無機質板１０による建築用パネル１を、複数、次のように施工し、
イ．前記の係止板３の上に施工された釘打材４ａの釘打辺４ｂに、建築用パネル１の切断端１ｍを乗せて、その前面１ｂを釘打ち固定し、
ロ．その固定された建築用パネル１の被覆辺１ｉに、他の建築用パネル１の端覆辺１ｆを被せて、その前面１ｂを釘打ち固定し、
ハ．上記を繰り返して、係止板３の片側の外壁７を、複数の建築用パネル１により覆い、
ニ．残った外壁７の高さに合わせて、建築用パネル１の前面１ｂを長さ方向に切断して、その前面１ｂを釘打ち固定し、
ｊ．それらの施工された建築用パネル１の周囲に、次のように無機質板１０による建築用パネル１の厚さに合わせた、見切材４ｇを施工し、
イ．軒天６との境に施工された建築用パネル１の、釘打材４ａの嵌合辺４ｃの隙間に、
ロ．見切材４ｇの差込辺４ｍを差し込み固定し、
ハ．無機質板１０による建築用パネル１側の、係止板３の嵌合口３ｂに、
ニ．見切材４ｇの差込辺４ｍを差し込み固定し、
ｋ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押止片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力と、外れる方向での押止片２ｃの係止突起４ｊへの引っ掛かり等により、隅角被覆２が見切材４ｇとの交差部分に張り付けられて、
ｌ．意匠が異なる２種類の建築用パネル１の境界と、軒天６との境界とを、見切部材４により覆い、その見切部材４の交差部分を覆う隅角被覆２を取り付ける外壁７を構成する。
【実施例３】
【００２９】  図４，図６，図１３，図１４，図１５，図１６，及び図１７は、この発明の実施例３を示すものである。【００３０】Ａ．図４に示す、実施例３においての建築用パネル１は、実施例１と同じものである。【００３１】Ｂ．図６に示す、実施例３の隅角被覆２は、実施例１と同じものである。【００３２】Ｃ．図１６に示す、実施例３の係止板３は、金属板８を成形して、
ａ．その先端を表面側に折り返した、ほぼ平坦な固定板３ａを形成し、
ｂ．その固定板３ａを表面側にＬ字形に折り曲げて、案内板３ｅを形成し、
イ．その案内板３ｅを、裏面側にクランク状に折り曲げて、さらに表面側にＬ字形に折り曲げて、案内溝３ｆを形成し、
ロ．その案内溝３ｆをコの字形に裏面側に折り曲げて、案内突起３ｇを形成し、
ｃ．前記の固定板３ａの１側端を、裏面側にＬ字形に折り曲げて、側板３ｈを形成し、
イ．その側板３ｈの、前記の案内溝３ｆ側の端部を、裏面側にクランク状に折り曲げて、側板溝３ｉを形成し、
ロ．その側板溝３ｉを裏面側にコの字形に折り曲げて、側板突起３ｊを形成し、
ｄ．案内板３ｅと案内溝３ｆと案内突起３ｇと、側板３ｈと側板溝３ｉと側板突起３ｊとが直交し、その交差する面において、互いに切り合い、
イ．案内突起３ｇと側板突起３ｊの幅は同一に形成し、
ｅ．案内板３ｅと側板３ｈとの左右位置関係の違いにより、係止板３は、互いに勝手違いの係止板３をとにより、構成されている。【００３３】Ｄ．図１７に示す、実施例３の見切部材４と、水抜孔４ｌ付き見切部材４と、水切５は、金属板８を成形して、
ａ．見切部材４は、長尺の金属板８を成形して、
イ．平坦な一端を裏面側に折り返した見切辺４ｈを形成し、
ロ．その見切辺４ｈの他端を、裏面側にクランク状に折り曲げて、係止突起４ｊを形成し
ハ．その係止突起４ｊを、表面側にクランク状に折り曲げて、係止溝４ｋを形成し、
ニ．さらに、延長して、その先端を裏面側に折り返した、見切底４ｉを形成し、
ホ．その見切底４ｉを裏面側にＬ字形に折り曲げて、表面側に開口する断面三角形の突条を持ち、先端を裏面側に折り返した、ほぼ平坦な釘打辺４ｂを形成し、
ヘ．その釘打辺４ｂと見切底４ｉと見切辺４ｈとにより、見切溝４ｏを構成し、
ｂ．水抜孔４ｌ付き見切部材４は、
イ．その見切部材４の見切底４ｉと係止溝４ｋと係止突起４ｊにかけて、ほぼ長穴状に孔を開けた、その水抜孔４ｌを、複数形成し、
ｃ．水切５は、長尺の金属板８を成形して、
イ．平坦な一端を裏面側に折り返した水切面５ｃを形成し、
ロ．その水切面５ｃ、裏面側にくの字形に折り曲げて、流水面５ｂを形成し
ハ．その流水面５ｂを、表面側にくの字形に折り曲げて、その先端を表面側に折り返した、釘打面５ａを形成する。【００３４】Ｅ．図１３，図１４，及び図１５に示す、実施例３のモルタル壁７ｇと建築用パネル１とによる入隅構造の、外壁７の施工は、
ａ．入隅構造の柱７ｂと、その入隅構造の角の、両面にそれぞれ、補助桟７ｃを釘打ち取り付け、
イ．モルタル壁７ｇ側には、下地板７ｆを複数釘打ち施工し、壁下地７ａとし、
ロ．建築用パネル１側は、補助桟７ｃと柱７ｂとを、壁下地７ａとし、
ハ．その下地板７ｆと、補助桟７ｃと柱７ｂとに、防水紙７ｄを張り、
ニ．モルタル壁７ｇ側には、下地板７ｆの防水紙７ｄの上に、メタルラスを張り付けて、モルタルを塗り、モルタル壁７ｇを施工し、
ｂ．その施工した防水紙７ｄの上に、次のように胴縁７ｅを施工し、
イ．胴縁７ｅをモルタル壁７ｇに沿わして、防水紙７ｄを介して補助桟７ｃに、釘打ち固定し、
ロ．横張り施工と、縦張り施工と、建築用パネル１の施工方法を違える、外壁７上の境界において、その補助桟７ｃと外壁７の他の柱７ｂに、補助桟７ｃに交差して、２段に胴縁７ｅを、防水紙７ｄを介して、補助桟７ｃと他の柱７ｂに、釘打ち固定し、
ハ．横張り施工の建築用パネル１側に、次のように胴縁７ｅを、防水紙７ｄを介して補助桟７ｃと柱７ｂに、釘打ち固定し、
○補助桟７ｃと外壁７の他の柱７ｂに、平行に釘打ち固定し、
ニ．縦張り施工の建築用パネル１側に、次のように胴縁７ｅを、防水紙７ｄを介して補助桟７ｃと柱７ｂに、釘打ち固定し、
○補助桟７ｃと外壁７の他の柱７ｂに架けて、建築用パネル１の施工基準により、交差して釘打ち固定し、
ｃ．次に、施工方法を違える、外壁７上の境界の下方において、
イ．モルタル壁７ｇに沿わして、外壁７の下方より、
ロ．モルタル壁７ｇ沿いの、胴縁７ｅの上に、前記の見切部材４を、その釘打辺４ｂを釘打ち固定し、
ｄ．その施工した見切部材４の見切溝４ｏに、建築用パネル１を、複数、次のように施工し、
イ．前記のモルタル壁７ｇに沿わして施工した見切部材４の釘打辺４ｂに、建築用パネル１の切断端１ｍを乗せて、その釘打片１ｈを釘打ち固定し、
ロ．その固定された建築用パネル１の嵌合溝１ｇに、他の建築用パネル１の差込片１ｄを差し込み、その釘打片１ｈを釘打ち固定し、
ハ．上記を繰り返して、施工方法を違える、外壁７上の境界の下方を、複数の建築用パネル１により覆い、
ニ．残った外壁７上の境界までの幅に合わせて、建築用パネル１の前面１ｂを長さ方向に切断して、その前面１ｂを釘打ち固定し、
ｅ．その施工された建築用パネル１の上方に、次のように水切５を施工し、
イ．施工された建築用パネル１の長さ方向に切断された前面１ｂに、水切５の水切面５ｃを被せて、
ロ．その釘打面５ａを、胴縁７ｅに釘打ち固定し、
ｆ．その施工した水切５と、モルタル壁７ｇ沿いの見切部材４との交差部分に、次のように係止板３を取り付けて、
イ．その見切部材４の見切底４ｉの延長上に、係止板３の側板３ｈを合わせて、
ロ．係止板３の案内溝３ｆを、水切５の流水面５ｂに乗せて、
ハ．その固定板３ａを、釘打ち固定し、
ｇ．そして水切５と、モルタル壁７ｇ沿いの見切部材４との交差部分に、次のように隅角被覆２を取り付けて、
イ．モルタル壁７ｇ沿いの見切部材４の見切辺４ｈの先端と、水切５の水切面５ｃの先端とに、隅角被覆２の引掛片２ｂを引っ掛けて、
ロ．その隅角被覆２の押止片２ｃを押し込んで、見切部材４の係止突起４ｊと、係止板３の側板突起３ｊや案内突起３ｇによる、反力により押止片２ｃが広げられて、その係止突起４ｊや側板突起３ｊや案内突起３ｇを乗り越えて、押止片２ｃが見切部材４の係止溝４ｋや、係止板３の側板溝３ｉや案内溝３ｆに入り込み、
ハ．その拡張された押止片２ｃの内部応力により、隅角被覆２が見切部材４と係止板３のに張り付けられて、
ｈ．そして、その係止板３の案内板３ｅに、前記の水抜孔４ｌ付き見切部材４の見切底４ｉを乗せて、
イ．その釘打辺４ｂを胴縁７ｅに釘打ち固定し、
ｉ．次に、施工方法を違える、外壁７上の境界の上方において、
イ．モルタル壁７ｇに沿わして、水抜孔４ｌ付き見切部材４の上方に、
ロ．モルタル壁７ｇ沿いの、胴縁７ｅの上に、前記の見切部材４を、その釘打辺４ｂを釘打ち固定し、
ｊ．そして、建築用パネル１を、複数、次のように施工し、
イ．外壁７のスペースに応じて、建築用パネル１の前面１ｂを長さ方向に切断して、
ロ．前記のモルタル壁７ｇ沿いの、見切部材４の見切溝４ｏに、その長さ方向に切断された前面１ｂを差し込み、
ハ．その切断端１ｍを、水抜孔４ｌ付き見切部材４の見切溝４ｏに差し込み、
ニ．その釘打片１ｈを釘打ち固定し、
ホ．その固定された建築用パネル１の嵌合溝１ｇに、他の建築用パネル１の差込片１ｄを差し込み、その釘打片１ｈを釘打ち固定し、
ヘ．上記を繰り返して、施工方法を違える、外壁７上の境界の上方を、複数の建築用パネル１により覆い、
ｋ．その施工した水抜孔４ｌ付き見切部材４の、モルタル壁７ｇ沿いの見切部材４との交差部分に、次のように隅角被覆２を取り付けて、
イ．モルタル壁７ｇ沿いの見切部材４の見切辺４ｈの先端と、水抜孔４ｌ付き見切部材４の見切辺４ｈの先端とに、隅角被覆２の引掛片２ｂを引っ掛けて、
ロ．その隅角被覆２の押止片２ｃを押し込んで、見切部材４の係止突起４ｊによる、反力により押止片２ｃが広げられて、その係止突起４ｊを乗り越えて、押止片２ｃが見切部材４の係止溝４ｋに入り込み、
ハ．その拡張された押止片２ｃの内部応力により、隅角被覆２が見切部材４に張り付けられて外壁７が構成される。
ｌ．横張り施工と、縦張り施工と、建築用パネル１の施工方法を違える境界を、水切５と水抜孔４ｌ付き見切部材４により覆い、モルタル壁７ｇと建築用パネル１とによる入隅構造との境界を、水切５と見切部材４との交差部分を覆う隅角被覆２を取り付け、見切部材４の交差部分を覆う隅角被覆２を取り付ける、外壁７を構成する。
【実施例４】
【００３５】  図４，図６，図１８，図１９，図２０，及び図２１は、この発明の実施例４を示すものである。【００３６】Ａ．図４に示す、実施例４においての建築用パネル１は、実施例１と同じものである。【００３７】Ｂ．図６に示す、実施例４の隅角被覆２は、実施例１と同じものである。【００３８】Ｃ．図２１に示す、実施例４の係止板３と、見切部材４の釘打材４ａと見切材４ｇとは、
ａ．その係止板３は、長尺の金属板８を成形して、
イ．金属板８の中央を裏面側にＬ字形に折り曲げて、さらにその両側をＬ字形に折り曲げて、ほぼ角パイプ状の、出隅筒３ｋを形成し、
ロ．その出隅筒３ｋの両側を表面側にＬ字形に折り曲げて、固定板３ａを形成し、
ハ．その固定板３ａの途中を、相対して表面側にくの字形に折り曲げて、さらに、裏面側に鋭角に折り曲げて、そして、表面側にＬ字形に折り曲げた、案内突条３ｂを形成し、
ｂ．実施例４の見切部材４の釘打材４ａは、実施例１と同じものであり、
ｃ．実施例４の見切部材４の見切材４ｇは、実施例１と同じものである。【００３９】Ｅ．図１８，図１９，及び図２０に示す、実施例４の軒天６との境界においての、出隅構造の、出隅を境界として、横張り施工と、縦張り施工と、建築用パネル１の施工方法を違える、外壁７の施工は、
ａ．出隅構造の柱７ｂと、その出隅構造の角の、両外壁７の柱７ｂとによる壁下地７ａに、防水紙７ｄを張り、
ｂ．その施工した防水紙７ｄの上に、次のように胴縁７ｅを施工し、
イ．胴縁７ｅを軒天６に沿わして、防水紙７ｄを介して柱７ｂに、釘打ち固定し、
ロ．外壁７の出隅の柱７ｂの、出隅を構成する２面に、それぞれ胴縁７ｅを、防水紙７ｄを介して、釘打ち固定し、
ハ．横張り施工の建築用パネル１側に、防水紙７ｄを介して、それぞれの柱７ｂに沿って、胴縁７ｅを釘打ち固定し、
ニ．縦張り施工の建築用パネル１側に、防水紙７ｄを介して柱７ｂと他の柱７ｂに、胴縁７ｅを、建築用パネル１の施工基準により、交差し釘打ち固定し、
ｃ．次に、出隅構造の角の胴縁７ｅに、
イ．係止板３の固定板３ａを、防水紙７ｄを介して柱７ｂに、釘打ち固定し、
ロ．その係止板３の、両方の案内突条３ｂに、
ハ．それぞれの、見切部材４の釘打材４ａの係止口４ｅを被せて、その嵌合辺４ｃを柱７ｂの出隅側に向けて、その釘打辺４ｂを釘打ち固定し、
ｄ．縦張り施工の建築用パネル１側に、
イ．外壁７のスペースに応じて、建築用パネル１の前面１ｂを長さ方向に切断して、
ロ．前記の係止板３の、案内突条３ｂに被せた釘打材４ａの釘打辺４ｂに、その建築用パネル１の長さ方向に切断された前面１ｂを乗せて、
ハ．前記の軒天６に沿わして施工した釘打材４ａの釘打辺４ｂに、建築用パネル１の切断端１ｍを乗せて、
ニ．その釘打片１ｈを釘打ち固定し、
ホ．その固定された建築用パネル１の嵌合溝１ｇに、他の建築用パネル１の差込片１ｄを差し込み、その釘打片１ｈを釘打ち固定し、
ヘ．上記を繰り返して、縦張り施工の外壁７を、複数の建築用パネル１により覆い、
ｅ．その施工された建築用パネル１の周囲に、次のように、見切材４ｇを施工し、
イ．軒天６との境に施工された、釘打材４ａの嵌合辺４ｃの隙間に、
ロ．見切材４ｇの差込辺４ｍを差し込み固定し、
ハ．係止板３の案内突条３ｂに被せた、釘打材４ａの嵌合口３ｂに、
ニ．見切材４ｇの差込辺４ｍを差し込み固定し、
ｆ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押止片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力により、隅角被覆２が見切材４ｇとの交差部分に張り付けられて、
ｇ．横張り施工の建築用パネル１側に、
イ．前記の係止板３の、案内突条３ｂに被せた釘打材４ａの釘打辺４ｂに、建築用パネル１の切断端１ｍを乗せて、その釘打片１ｈを釘打ち固定し、
ロ．その固定された建築用パネル１の嵌合溝１ｇに、他の建築用パネル１の差込片１ｄを差し込み、その釘打片１ｈを釘打ち固定し、
ハ．上記を繰り返して、縦張り施工の外壁７を、複数の建築用パネル１により覆い、
ニ．残った外壁７上の、軒天６沿いの釘打片１ｈの嵌合辺４ｃまでの幅に合わせて、建築用パネル１の前面１ｂを長さ方向に切断して、その前面１ｂを釘打ち固定し、
ｈ．その施工された建築用パネル１の周囲に、次のように、見切材４ｇを施工し、
イ．軒天６との境に施工された、釘打材４ａの嵌合辺４ｃの隙間に、
ロ．見切材４ｇの差込辺４ｍを差し込み固定し、
ハ．係止板３の案内突条３ｂに被せた、釘打材４ａの嵌合口３ｂに、
ニ．見切材４ｇの差込辺４ｍを差し込み固定し、
ｉ．それらの固定された、軒天６沿いの見切材４ｇと、係止板３沿いの見切材４ｇとの交差部分に、次のように隅角被覆２を取り付けて、
イ．軒天６沿いの見切辺４ｈの先端と、係止板３沿いの見切辺４ｈの先端とに、隅角被覆２の引掛片２ｂを引っ掛けて、
ロ．その隅角被覆２の押上片２ｃを押し込んで、見切材４ｇの係止突起４ｊによる反力により押止片２ｃが広げられて、その係止突起４ｊを乗り越えて、押止片２ｃが係止溝４ｋに入り込み、
ハ．その拡張された押止片２ｃの内部応力により、隅角被覆２が見切材４ｇとの交差部分に張り付けられて、
ｌ．出隅を境界として、横張り施工と、縦張り施工と、建築用パネル１の施工方法を違える両外壁７の、
イ．出隅構造の境界と、軒天６との境界とを、見切部材４により覆い、
ロ．見切部材４の交差部分を覆う隅角被覆２を取り付け、
ハ．出隅構造を係止板３の出隅筒３ｋにより区画する、外壁７を構成し、
ニ．なお、出隅筒３ｋは、断面直角２等辺三角形や、扇形等にして意匠を変えた、外壁７を構成する事も可能である。
【実施例５】
【００４０】  図４，図６，図２２，図２３，図２４，図２５，及び図２６は、この発明の実施例５を示すものである。【００４１】Ａ．図４に示す、実施例５においての、突起と窪みとの繰り返しによる、前面１ｂを持つ建築用パネル１は、実施例１と同じものである。【００４２】Ｂ．図２５に示す、実施例５においての、意匠の異なる建築用パネル１は、
ａ．金属板８による長尺の表面材１ａを成形して、ほぼ平坦な前面１ｂを形成し、
ｂ．その前面１ｂの一側端に、次のような、差込溝１ｃと、差込片１ｄとを形成し、
イ．前面１ｂの一側端を裏面側にコの字形に折り曲げて、さらに表面側にＵ字形に折り曲げて、差込溝１ｃを形成し、
ロ．その差込溝１ｃの先端を表面側にくの字形に折り曲げて、さらに裏面側に折り返して、差込片１ｄを形成し、
ｃ．前面１ｂの他側端に、次のような、嵌合溝１ｇと、釘打片１ｈとを形成し、
イ．前面１ｂをコの字形に裏面側に折り曲げて、さらに表面側にＵ字形に折り曲げて、嵌合溝１ｇを形成し、
ロ．その嵌合溝１ｇを延長して、裏面側に開口する断面半円形の突条を持ち、先端を表面側に折り返した、釘打片１ｈを形成し、
ｄ．また、成形した表面材１ａの裏面側に、裏面材１ｌにより覆った、発泡樹脂９ａによる次のような裏打材１ｋを形成し、
イ．その裏面材１ｌは、、差込溝１ｃから嵌合溝１ｇの、前面１ｂ側のそれぞれの裏面に、亘る間を覆い、
ロ．平坦な裏打材１ｋを形成し、
ｅ．それらの表面相１ａと裏打材１ｋとを切断して、長手方向の両端に切断端１ｍを形成し、
イ．その切断端１ｍの厚さは、前記の突起と窪みとの繰り返しによる、前面１ｂの、建築用パネル１の切断端１ｍの突起部分の厚さと、ほぼ同じとしている。【００４３】Ｃ．図６に示す、実施例５の隅角被覆２は、実施例１と同じものである。【００４４】Ｄ．図２６に示す、実施例５の係止板３と、見切部材４の釘打材４ａと、見切材４ｇと、水抜孔４ｌ付き見切材４ｇとは、金属板８を成形して、
ａ．その係止板３は、長尺の金属板８を成形して、
イ．ほぼ平坦で、その先端を表面側に折り返した、固定板３ａを形成し、
ロ．その固定板３ａの他端を、表面側にＬ字形に折り曲げて、案内板３ｅを形成し、
ハ．その案内板３ｅを、裏面側クランク状に折り曲げて、案内溝３ｆを形成し、
ニ．その案内溝３ｆを表面側にクランク状に折り曲げて、案内突起３ｇを形成し、
ホ．その案内突起３ｇを、延長して先端を裏面側に折り返した、水切板３ｌを形成し、
ｂ．実施例５の見切部材４の釘打材４ａは、実施例１と同じものである。
ｃ．その見切部材４の見切材４ｇは、長尺の金属板８を成形して、
イ．平坦な一端を裏面側に折り返した、見切辺４ｈを形成し、
ロ．その見切辺４ｈの他端を、裏面側にＬ字形に折り曲げて、係止突起４ｊを形成し、
ハ．その係出突起４ｊを、裏面側にくの字形のクランク状に折り曲げて、さらに、表面側に折り返した、次のような切起突起４ｎを複数持つ差込辺４ｍを形成し、
○その切起突起４ｎは金属板８を、
○船底を差込辺４ｍの折り返し側に向けて、ほぼ半裁の船形に差込辺４ｍの両側に交互に突起させ、
○船縁側が切断され、金属板８のほぼ２枚分程度の段差を形成し、
ニ．その差込辺４ｍを裏面側にＬ字形に折り曲げて、前記の係止突起４ｊと、それに続くクランク状の折り曲げとにより、係止溝４ｋを形成し、
ホ．さらに、Ｌ字形に折り曲げて延長し、その先端を裏面側に折り返した、見切底４ｉを形成し、
ｄ．その水抜孔４ｌ付き見切材４ｇは、前記の見切部材４の係止突起４ｊから、それに続くクランク状の折り曲げとにかけて、矩形に打ち抜いた、水抜孔４ｌを複数形成し、
ｅ．その見切部材４の見切材４ｇと、水抜孔４ｌ付き見切材４ｇとは、前記の釘打材４ａと、次のように組み合わせて見切部材４を構成し、
イ．釘打材４ａの相対する嵌合辺４ｃの間に、見切材４ｇの差込辺４ｍを差し込み、
ロ．釘打材４ａの鋸歯突起４ｆにより、見切材４ｇの差込辺４ｍを挟み込むことと、
ハ．釘打材４ａの鋸歯突起４ｆへの、見切材４ｇの切起突起４ｎの引っ掛かりとにより、固定され、
二．釘打材４ａの釘打辺４ｂと、それに続く嵌合辺４ｃと、見切材４ｇの見切辺４ｈとにより、見切溝４ｏを構成する。【００４５】Ｅ．図２２，図２３，及び図２４に示す、実施例５のモルタル壁７ｇと建築用パネル１とによる入隅構造の、外壁７の施工は、
ａ．入隅構造の柱７ｂと、その入隅構造の角の、両面にそれぞれ、補助桟７ｃを釘打ち取り付け、
イ．モルタル壁７ｇ側には、下地板７ｆを複数釘打ち施工し、壁下地７ａとし、
ロ．建築用パネル１側は、補助桟７ｃと柱７ｂとを、壁下地７ａとし、
ハ．その下地板７ｆと、補助桟７ｃと柱７ｂとに、防水紙７ｄを張り、
ニ．モルタル壁７ｇ側には、下地板７ｆの防水紙７ｄの上に、メタルラスを張り付けて、モルタルを塗り、モルタル壁７ｇを施工し、
ｂ．その施工した防水紙７ｄの上に、次のように胴縁７ｅを施工し、
イ．胴縁７ｅをモルタル壁７ｇに沿わして、防水紙７ｄを介して補助桟７ｃに、釘打ち固定し、
ロ．意匠を違える建築用パネル１の、外壁７上の境界において、その補助桟７ｃと外壁７の他の柱７ｂに、補助桟７ｃに交差して、２段に胴縁７ｅを、防水紙７ｄを介して、補助桟７ｃと他の柱７ｂに、釘打ち固定し、
ハ．次のように胴縁７ｅを、防水紙７ｄを介して補助桟７ｃと柱７ｂに、釘打ち固定し、
○補助桟７ｃと外壁７の他の柱７ｂに架けて、建築用パネル１の施工基準により、交差して釘打ち固定し、
ｃ．次に、意匠を違える建築用パネル１の、外壁７上の境界の下方において、
イ．モルタル壁７ｇに沿わして、外壁７の下方より、
ロ．モルタル壁７ｇ沿いの、胴縁７ｅの上に、見切部材４の釘打材４ａを、その釘打辺４ｂを釘打ちして固定し、
ｄ．その施工した釘打材４ａの釘打辺４ｂに、突起と窪みとの繰り返しによる、前面１ｂを持つ建築用パネル１を、複数、次のように施工し、
イ．外壁７のスペースに応じて、建築用パネル１の前面１ｂを長さ方向に切断して、
ロ．前記のモルタル壁７ｇ沿いの、釘打材４ａの釘打辺４ｂに、その長さ方向に切断された前面１ｂを乗せて、
ハ．その釘打片１ｈを釘打ち固定し、
ニ．その固定された建築用パネル１の嵌合溝１ｇに、他の建築用パネル１の差込片１ｄを差し込み、その釘打片１ｈを釘打ち固定し、
ホ．上記を繰り返して、施工方法を違える、外壁７上の境界の上方を、複数の建築用パネル１により覆い、
ｅ．その施工された建築用パネル１の上方に、次のように係止板３を施工し、
イ．施工された建築用パネル１の切断端１ｍに乗せて、係止板３の水切板３ｌを被せて、
ロ．その固定板３ａを、胴縁７ｅに釘打ち固定し、
ｆ．モルタル壁７ｇ沿いに施工した、釘打材４ａの嵌合辺４ｃの隙間に、
イ．見切材４ｇの差込辺４ｍを差し込み固定し、
ｇ．その施工した係止板３と、モルタル壁７ｇ沿いの見切材４ｇとの交差部分に、次のように隅角被覆２を取り付けて、
イ．モルタル壁７ｇ沿いの見切辺４ｈの先端と、係止板３の水切板３ｌの先端とに、隅角被覆２の引掛片２ｂを引っ掛けて、
ロ．その隅角被覆２の押止片２ｃを押し込んで、見切材４ｇの係止突起４ｊと、係止板３の案内突起３ｇ、とによる反力により押止片２ｃが広げられて、その係止突起４ｊと案内突起３ｇとを乗り越えて、押市片２ｃが、見切材４ｇの係止溝４ｋと、係止板３の案内溝３ｆとに入り込み、
ハ．その拡張された押止片２ｃの内部応力と、外れる方向での押止片２ｃの、係止突起４ｊと案内突起３ｇ、への引っ掛かり等により、隅角被覆２が、係止板３と見切材４ｇとの、交差部分に張り付けられて、
ｈ．そして、その係止板３の案内板３ｅに、前記の釘打材４ａを沿わせて、
イ．その釘打辺４ｂを釘打ち固定し、
ｉ．次に、ほぼ平坦な前面１ｂの建築用パネル１側の、外壁７上の境界の上方において、
イ．モルタル壁７ｇに沿わして、案内板３ｅに沿わせた、前記の釘打材４ａの上方に、
ロ．モルタル壁７ｇ沿いの、胴縁７ｅの上に、釘打材４ａを、その釘打辺４ｂを釘打ち固定し、
ｊ．そして、平坦な前面１ｂの建築用パネル１を、複数、次のように施工し、
イ．外壁７のスペースに応じて、建築用パネル１の差込片１ｄを長さ方向に切断して、
ロ．前記のモルタル壁７ｇ沿いの、釘打材４ａの釘打辺４ｂに乗せて、
ハ．その切断端１ｍを、係止板３の案内板３ｅに沿わせた、釘打材４ａの釘打辺４ｂに乗せて、
ニ．その釘打片１ｈを釘打ち固定し、
ホ．その固定された建築用パネル１の嵌合溝１ｇに、他の建築用パネル１の差込片１ｄを差し込み、その釘打片１ｈを釘打ち固定し、
ヘ．上記を繰り返して、平坦な前面１ｂの建築用パネル１側の、外壁７上の境界の上方を、複数の建築用パネル１により覆い、
ｋ．その施工した建築用パネル１の、周辺の釘打材４ａの嵌合辺４ｃにの隙間に
イ．モルタル壁７ｇ沿いに施工した、釘打材４ａの嵌合辺４ｃの隙間に、
ロ．見切材４ｇの差込辺４ｍを差し込み固定し、
ハ．その施工した係止板３の案内板３ｅに沿わせた、釘打材４ａの嵌合辺４ｃの隙間に、
ニ．水抜孔４ｌ付き見切材４ｇの差込辺４ｍを差し込み固定し、
ｌ．水抜孔４ｌ付き見切材４ｇと、モルタル壁７ｇ沿いの見切材４ｇとの交差部分に、次のように隅角被覆２を取り付けて、
イ．モルタル壁７ｇ沿いの見切材４ｇの見切辺４ｈの先端と、水抜孔４ｌ付き見切材４ｇの見切辺４ｈの先端とに、隅角被覆２の引掛片２ｂを引っ掛けて、
ロ．その隅角被覆２の押止片２ｃを押し込んで、見切材４ｇの係止突起４ｊによる、反力により押止片２ｃが広げられて、その係止突起４ｊを乗り越えて、押止片２ｃが見切材４ｇの係止溝４ｋに入り込み、
ハ．その拡張された押止片２ｃの内部応力により、隅角被覆２が見切材４ｇに張り付けられて外壁が構成される。
ｍ．縦張り施工による外壁７の、
イ．意匠を違えた建築用パネル１の境界を、係止板３と、水抜孔４ｌ付き見切材４ｇとにより覆い、
ロ．モルタル壁７ｇと建築用パネル１とによる入隅構造との境界において、
○係止板３と見切材４ｇとの交差部分を覆う隅角被覆２を取り付け、
○見切材４ｇと水抜孔４ｌ付き見切材４ｇとの、交差部分を覆う隅角被覆２を取り付ける、外壁７を構成する。
【図面の簡単な説明】
【００４６】
【図１】  外壁の施工状態を示す一部省略斜視図（実施例１）
【図２】  外壁の施工状態を示す一部省略斜視図（実施例１）
【図３】  外壁の施工状態を示す一部省略斜視図（実施例１）
【図４】  建築用パネルを示す一部省略斜視図（実施例１〜５）
【図５】  建築用パネルを示す一部省略斜視図（実施例１）
【図６】  隅角被覆を示す斜視図（実施例１〜５）
【図７】  係止板と見切部材とを示す一部省略斜視図（実施例１）
【図８】  外璧の施工状態を示す一部省略斜視図（実施例２）
【図９】  外壁の施工状態を示す一部省略斜視図（実施例２）
【図１０】  外壁の施工状態を示す一部省略斜視図（実施例２）
【図１１】  建築用パネルを示す一部省略斜視図（実施例２）
【図１２】  係止板と見切部材とを示す一部省略斜視図（実施例２）
【図１３】  外壁の施工状態を示す一部省略斜視図（実施例３）
【図１４】  外壁の施工状態を示す一部省略斜視図（実施例３）
【図１５】  外壁の施工状態を示す一部省略斜視図（実施例３）
【図１６】  係止板を示す斜視図（実施例３）
【図１７】  水切と見切部材とを示す一部省略斜視図（実施例３）
【図１８】  外壁の施工状態を示す一部省略斜視図（実施例４）
【図１９】  外壁の施工状態を示す一部省略斜視図（実施例４）
【図２０】  外壁の施工状態を示す一部省略斜視図（実施例４）
【図２１】  係止板と見切部材とを示す一部省略斜視図（実施例４）
【図２２】  外壁の施工状態を示す一部省略斜視図（実施例５）
【図２３】  外壁の施工状態を示す一部省略斜視図（実施例５）
【図２４】  外壁の施工状態を示す一部省略斜視図（実施例５）
【図２５】  建築用パネルを示す一部省略斜視図（実施例５）
【図２６】  係止板と見切部材とを示す一部省略斜視図（実施例５）
【符号の説明】
【００４７】  １  建築用パネル
２  隅角被覆
３  係止板
４  見切部材
５  水切
６  軒天
７  外壁
８  金属板
９  合成樹脂
１０  無機質板
【図１】
2008095480.tif 000003
【図２】
2008095480.tif 000004
【図３】
2008095480.tif 000005
【図４】
2008095480.tif 000006
【図５】
2008095480.tif 000007
【図６】
2008095480.tif 000008
【図７】
2008095480.tif 000009
【図８】
2008095480.tif 000010
【図９】
2008095480.tif 000011
【図１０】
2008095480.tif 000012
【図１１】
2008095480.tif 000013
【図１２】
2008095480.tif 000014
【図１３】
2008095480.tif 000015
【図１４】
2008095480.tif 000016
【図１５】
2008095480.tif 000017
【図１６】
2008095480.tif 000018
【図１７】
2008095480.tif 000019
【図１８】
2008095480.tif 000020
【図１９】
2008095480.tif 000021
【図２０】
2008095480.tif 000022
【図２１】
2008095480.tif 000023
【図２２】
2008095480.tif 000024
【図２３】
2008095480.tif 000025
【図２４】
2008095480.tif 000026
【図２５】
2008095480.tif 000027
【図２６】
2008095480.tif 000028